(57)【特許請求の範囲】
【請求項１】
エラーコレクションモードを用いて画像通信を行なうファクシミリ装置において、
エラーコレクションモードを有効とするか否かの設定情報を登録する第１の登録手段と、
特定の通信モードが選択され、かつ、前記第１の登録手段にエラーコレクションモードを有効としない設定情報が登録されている場合、エラーコレクションモードを有効にして良いか否かに関するユーザの応答を取得し、このユーザの応答が肯定応答であった場合にエラーコレクションモードでの通信を開始する制御手段を有することを特徴とするファクシミリ装置。
【請求項２】
前記ユーザの応答が否定応答であった場合に実行する通信動作の選択肢を設定情報として登録しておく第２の登録手段を有し、この第２の登録手段の設定情報に基づき前記ユーザの応答が否定応答であった場合に実行する通信動作を決定することを特徴とする請求項１に記載のファクシミリ装置。
【請求項３】
前記第２の登録手段に前記ユーザの応答が否定応答であった場合に実行する通信動作の選択肢として、通信をしない、あるいは、エラーコレクションモードを無効とした通信を実行する、のいずれかを設定情報として登録することを特徴とする請求項２に記載のファクシミリ装置。
【請求項４】
エラーコレクションモードを用いて画像通信を行なうファクシミリ装置の制御方法において、
エラーコレクションモードを有効とするか否かの設定情報を登録する第１の登録工程と、
特定の通信モードが選択され、かつ、前記第１の登録工程においてエラーコレクションモードを有効としない設定情報が登録されている場合、エラーコレクションモードを有効にして良いか否かに関するユーザの応答を取得し、このユーザの応答が肯定応答であった場合にエラーコレクションモードでの通信を開始する制御工程を有することを特徴とするファクシミリ装置の制御方法。
【請求項５】
前記ユーザの応答が否定応答であった場合に実行する通信動作の選択肢を設定情報として登録する第２の登録工程を有し、この第２の登録工程における設定情報に基づき前記ユーザの応答が否定応答であった場合に実行する通信動作を決定することを特徴とする請求項４に記載のファクシミリ装置の制御方法。
【請求項６】
前記第２の登録工程において前記ユーザの応答が否定応答であった場合に実行する通信動作の選択肢として、通信をしない、あるいは、エラーコレクションモードを無効とした通信を実行する、のいずれかを設定情報として登録することを特徴とする請求項５に記載のファクシミリ装置の制御方法。
【請求項７】
エラーコレクションモードを用いて画像通信を行なうファクシミリ装置の制御プログラムを格納したコンピュータ読取可能な記録媒体において、
エラーコレクションモードを有効とするか否かの設定情報を登録する第１の登録工程と、
特定の通信モードが選択され、かつ、前記第１の登録工程においてエラーコレクションモードを有効としない設定情報が登録されている場合、エラーコレクションモードを有効にして良いか否かに関するユーザの応答を取得し、このユーザの応答が肯定応答であった場合にエラーコレクションモードでの通信を開始する制御工程をプログラムの一部として格納したことを特徴とするファクシミリ装置の制御プログラムを格納したコンピュータ読取可能な記録媒体。
【請求項８】
前記ユーザの応答が否定応答であった場合に実行する通信動作の選択肢を設定情報として登録する第２の登録工程を有し、この第２の登録工程における設定情報に基づき前記ユーザの応答が否定応答であった場合に実行する通信動作を決定する制御をプログラムの一部として格納したことを特徴とする請求項７に記載のファクシミリ装置の制御プログラムを格納したコンピュータ読取可能な記録媒体。
【請求項９】
前記第２の登録工程において前記ユーザの応答が否定応答であった場合に実行する通信動作の選択肢として、通信をしない、あるいは、エラーコレクションモードを無効とした通信を実行する、のいずれかを設定情報として登録する制御をプログラムの一部として格納したことを特徴とする請求項８に記載のファクシミリ装置の制御プログラムを格納したコンピュータ読取可能な記録媒体。
【発明の詳細な説明】
【０００１】
【産業上の利用分野】
本発明は、エラーコレクションモードで通信可能なファクシミリ装置、その制御方法、およびその制御プログラムを格納したコンピュータ読取可能な記録媒体に関するものである。
【０００２】
【従来の技術】
従来よりエラーコレクションモード（ＥＣＭ：エラー訂正モード）で通信可能なファクシミリ装置が知られている。従来のエラーコレクションモードで通信可能なファクシミリ装置は、ユーザーの選択により、エラーコレクションモードを無効とする設定を行なうことが可能であった。これは、回線状態が悪い場合、再送を繰り返して通信時間が長くなるよりも、数ラインのエラーは許容しても早く通信を終了したいというユーザーの需要もあるためである。
【０００３】
【発明が解決しようとする課題】
しかしながら、エラーコレクションモードを有しているファクシミリ装置において、エラーコレクションモードを無効とすることが選択されていると、中継通信を行なう場合などに問題が生じる。たとえば、中継同報送信を行なう場合、中継指示局あるいは配信局の設定によりこの２局間での通信においてエラーコレクションモードが無効となっていると、ノーマルＧ３モードでの通信が実行されてしまい、ここで通信エラーが発生すると、配信局は通信エラーによって破損した画像を配信してしまうという問題があった。
【０００４】
すなわち、従来では、エラーコレクションモードを単に有効とするか無効とするかをカスタマイズできるだけであり、それ以上の条件を勘案した制御を行なわないために、エラーコレクションモードを用いるべきである状況においてもエラーコレクションモードが用いられなくなってしまう問題があった。
【０００５】
本発明の課題は、上記の問題を解決し、エラーコレクションモードを用いて通信可能なファクシミリ装置において、適切にエラーコレクションモードを制御できるようにすることにある。
【０００６】
【課題を解決するための手段】
以上の課題を解決するため、本発明においては、エラーコレクションモードで通信可能なファクシミリ装置、その制御方法、およびその制御プログラムを格納したコンピュータ読取可能な記録媒体において、
エラーコレクションモードを有効とするか否かの設定情報を登録する第１の登録手段ないし登録工程と、
特定の通信モードが選択され、かつ、前記第１の登録手段ないし登録工程においてエラーコレクションモードを有効としない設定情報が登録されている場合、エラーコレクションモードを有効にして良いか否かに関するユーザの応答を取得し、このユーザの応答が肯定応答であった場合にエラーコレクションモードでの通信を開始する制御手段ないし制御工程を有する構成を採用した。
【００１１】
あるいはさらに、前記ユーザの応答が否定応答であった場合に実行する通信動作の選択肢を設定情報として登録する第２の登録手段ないし登録工程を有し、この第２の登録手段ないし登録工程における設定情報に基づき前記ユーザの応答が否定応答であった場合に実行する通信動作を決定する構成を採用した。
【００１２】
あるいはさらに、前記第２の登録手段ないし登録工程において前記ユーザの応答が否定応答であった場合に実行する通信動作の選択肢として、通信をしない、あるいは、エラーコレクションモードを無効とした通信を実行する、のいずれかを設定情報として登録する構成を採用した。
【００１３】
【発明の実施の形態】
＜基本構成＞
以下、図面に示す実施形態に基づいて本発明を詳細に説明する。図１に本発明を採用したファクシミリ装置の構成をブロック図として示す。
【００１４】
図１において符号２は、ＮＣＵ（網制御装置）で、電話網をデータ通信等に使用するために、その回線の端末に接続し、電話交換網の接続制御を行なったり、データ通信路への切換えを行なったり、ループの保持を行うものである。ＮＣＵ２は、制御回路２０からの信号レベル（信号線２０ａ）が「０」であれば、電話回線２ａを電話機４側に接続し、信号レベルが「１」であれば、電話回線２ａをファクシミリ装置側に接続する。なお、通常状態では電話回線２ａは電話機４側に接続されている。
【００１５】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受取り、信号線６ａ経由で変復調器８に送るものである。
【００１６】
符号８は、ＩＴＵ−Ｔ勧告Ｖ．８，Ｖ．２１，Ｖ．２７ｔｅｒ，Ｖ．２９，Ｖ．１７，Ｖ．３４に基づいた変調、および復調を行う変復調器であり、信号線２０ｃにより、各伝送モードが指定される。変復調器８は信号線２０ｂに出力されている信号を入力し、変調データを信号線８ａに出力し、信号線６ａに出力されている受信信号を入力し、復調データを信号線８ｂに出力する。
【００１７】
符号１０は、ＡＮＳａｍ信号（ＩＴＵ−Ｔ勧告Ｖ８準拠の通信手順信号）を送出する回路であり、信号線２０ｄに信号レベル「１」の信号が出力されている時には、信号線１０ａにＡＮＳａｍ信号を送出し、信号線２０ｄに信号レベル「０」の信号が出力されている時には、信号線１０ａに何も信号を出力しないように動作する。
【００１８】
符号１２は送信信号を加算する加算回路であり、信号線８ａ、１０ａの情報を入力し、加算した結果を信号線１２ａに出力する。
【００１９】
符号１４は画像データの読取回路であり、原稿搬送系、光学読み取り素子などから構成される。読取回路１４は、原稿から読み取った読取りデータを信号線１４ａに出力する。
【００２０】
符号１６は感熱方式、電子写真方式、インクジェット方式などの各種の記録方式により構成された画像データ記録のための記録回路である。記録回路１６は、受信画像の記録、あるいは読取回路１４で読み取った画像の記録（コピー動作）の際に１部（各ページ１枚）の画像の記録に用いられる。
【００２１】
なお、本明細書では、一貫して記録回路１６により記録を受ける媒体を指すものとして「記録紙」との用語を用いるが、この「記録紙」の材質は必ずしも文字通り「紙」である必要はなく、プラスチックシートなどの他の材質であってよいのはいうまでもない。
【００２２】
符号１８はメモリ回路であり、ＲＯＭ、ＲＡＭ、あるいはハードディスクなどの任意の記憶装置から構成され、種々のデータの記憶に用いられる。特に、画像情報の記憶に関しては、メモリ回路１８は読取り画像データの生情報、あるいは符号化した画像情報を格納したり、また、生の受信画像情報、あるいは復号化した画像情報等を格納するために使用される。本実施形態の場合、このメモリ回路１８は、本発明のコンピュータ読み取り可能な記録媒体に該当する。
【００２３】
符号２２は操作部であり、ワンタッチダイヤル、短縮ダイヤル、テンキー、＊・＃キー、スタートキー、ストップキー、セットキー、後述の登録回路３０、３２へ登録操作を指示する登録キー、その他ファンクションキーが設けられる。操作部２２のキー操作情報は信号線２２ａを介して制御回路２０に出力される。
【００２４】
符号２４は、サブアドレス信号入力ボタンであり、該ボタンが押下されると、信号線２４ａに押下パルスを発生する。実際のサブアドレスは、サブアドレス信号入力ボタン２４の押下に先立って（あるいは同ボタンの押下の後）、操作部２２のテンキーなどから入力する。実際の相手局の電話番号は、サブアドレスとは別個にテンキー、ワンタッチキーあるいはテンキーの短縮ダイヤル操作により入力される。
【００２５】
なお、サブアドレスは、あらかじめメモリ回路１８のワンタッチキーあるいは短縮ダイヤルの登録メモリに特定のセパレータなどを狭んで電話番号とともに格納されていてもよい。このようなワンタッチキーあるいは短縮ダイヤルの登録メモリからサブアドレス付きの電話番号を読み出した場合には、上記のサブアドレス信号入力ボタン２４が押下された時と同じように取り扱えば良い。
【００２６】
本実施形態において、このサブアドレスは、中継同報を行なう配信局のメモリボックスを指定するために利用される。ここでメモリボックスとは、いわば配信局のファクシミリ装置内に設けられた仮想的な通信装置で、サブアドレス（ＩＴＵ−Ｔ勧告Ｔ３０に記載のサブアドレス、あるいはＩＳＤＮのサブアドレスなど）により指定できるようになっているものとする。たとえば、配信局は、着信時に相手局からサブアドレス指定が行なわれると、そのサブアドレスに対応して所定のメモリ領域（図１でいえばメモリ回路１８）に構成されたメモリボックスに登録された仕様の通信を実行するように構成されており、その仕様として後述の例では中継同報処理が登録されているものとする。
【００２７】
符号２６は、中継同報選択ボタンであり、ユーザが中継同報送信を選択する時に押下する。該ボタンが押下されると、信号線２６ａに押下パルスが発生する。
【００２８】
符号２８は、中継同報表示回路である。この中継同報表示回路２８は、中継同報選択ボタン２６の操作により送信処理として中継同報送信が選択されているかどうかを表示するためのものである。表示回路２８が「中継同報」と表示している時には、信号線２８ａに信号レベル「１」の信号を出力し、中継同報送信が選択されていることを表わし、「中継同報」と表示していないときには、信号線２８ａに信号レベル「０」の信号を出力し中継同報送信を選択されていないことを表わす。また、表示回路２８は信号線２０ｆにクリアパルスが発生されると「中継同報」との表示を行なわないようになり、その後、中継同報選択ボタン２６の押下により信号線２６ａに押下パルスが発生する毎に「表示する」→「表示しない」→「表示する」…の表示状態を繰り返す。
【００２９】
符号３０は、ＥＣＭ（エラーコレクションモード）の禁止を登録する登録回路であり、後述の制御回路２０により信号線３０ａを介してＥＣＭ機能を禁止するか否かが登録される。
【００３０】
符号３２は、特定モード時、ユーザー拒否時の制御を登録する登録回路である。登録回路３２は、登録回路３０にＥＣＭ機能を禁止する設定が登録されていた場合に中継同報指示送信、あるいはサブアドレス信号の送信を伴う通信等の特定モードの送信が選択された際の動作をあらかじめ登録しておくために用いられる。
【００３１】
すなわち、後述のように（第５、第６実施形態）、中継同報指示送信、あるいはサブアドレス信号の送信を伴う通信等の特定モードの送信が選択されると「エラーコレクションモードを有効にしてよいですか」と表示し、この表示に対してオペレータから否定応答があった場合、通信をしない（通信中止）、あるいは、エラーコレクションモードを無効としたノーマルＧ３での通信、いずれの動作を行なうかを登録回路３２に登録しておく。登録回路３２への登録は制御回路２０により信号線３２ａを介して行なわれる。
【００３２】
符号３４は、表示回路であり、後述のように（第５、第６実施形態）、制御回路２０から信号線２０ｇに出力されている情報に基づき、例えば、「エラーコレクションモードを有効にしてよいですか」と表示する。
【００３３】
符号２０は、マイクロプロセッサ、メモリなどから構成された制御回路であり、装置全体の動作を制御する。制御回路２０は、内部のＲＯＭなどのメモリ、あるいはメモリ回路１８のＲＯＭ部などに格納された後述のプログラムに基づき装置全体の動作を制御する。制御回路２０が行なう制御は概略次のようなものである。
【００３４】
すなわち、登録回路３０への登録によりエラーコレクションモードを有効とするか否かを設定可能とする。また、登録回路３０にエラーコレクションモードを無効とする設定が行なわれている場合、特定の通信モードが選択されると自動的にエラーコレクションモードを有効とする（第１〜第４実施形態）。この特定の通信モードとして、下記の各実施形態では、中継同報送信やサブアドレスを用いた通信を考える。
【００３５】
あるいは、特定の通信モードにおいて、登録回路３０にエラーコレクションモードを無効とする設定が行なわれている場合には、ユーザにエラーコレクションモードを有効とするか否かを尋ね、その応答が肯定応答であるか否定応答であるかに応じてエラーコレクションモードを用いるかどうかを決定し、さらに同応答が否定応答であった場合には登録回路３２への登録情報に応じて通信の態様を変更する（第５、第６実施形態）。
【００３６】
以下、図２〜図１１を参照して、上記構成における制御につき複数の実施形態（第１〜第５実施形態）を示す。図２〜図１１は、制御回路２０が実行する通信制御手順を示したもので、図示の手順は制御回路２０のプログラムとしてメモリ回路１８のＲＯＭ部分などに格納される。図２〜図１１中の同一番号の個所はそれぞれの位置で連続しているものとする。
【００３７】
＜第１の実施形態＞
登録回路３０にＥＣＭ通信禁止を登録することができるが、本実施形態は、特定の通信モード（中継同報）において、登録回路３０の登録状態に拘らずＥＣＭ通信を実行する例である。
【００３８】
図２において、ステップＳ０は、電源投入や、所定のリセット操作などにより開始される処理の始めを表わしている。ステップＳ２〜Ｓ８はデフォルト（規定値）の制御条件を設定する初期化処理であり、実際の装置の動作中のイベントループはステップＳ１０から開始される。
【００３９】
この初期化処理において、まずステップＳ２では、信号線３０ａを介して、登録回路３０にＥＣＭ通信有効と登録する（デフォルトの登録状態）。
【００４０】
また、ステップＳ４では、信号線３２ａを介して登録回路３２に、中継同報指示送信、あるいはサブアドレス信号の送信を伴う通信等の特定モードの送信が選択され、「エラーコレクションモードを有効にしてよいですか」と表示した際、この表示に対してオペレータから否定応答があった場合、通信を行なわない（通信中止）ように登録を行なう（デフォルトの登録状態）。
【００４１】
ステップＳ６は、信号線２０ｇを介して、表示回路３４で行なうべき「エラーコレクションモードを有効にしてよいですか」という表示を行なわないように制御する（何も表示しないようにする）。
【００４２】
そして、ステップＳ８では信号線２０ｆにクリアパルスを発生し、中継同報選択表示回路２８での「中継同報」との表示を行なわないように制御する。
【００４３】
そして、ステップＳ１０でイベントループに入り、ステップＳ１０では、信号線２０ａに信号レベル「０」の信号を出力し、ＮＣＵ２のＣＭＬリレーをオフし、回線２ａを電話機４側に接続する。
【００４４】
ステップＳ１２では、信号線２０ｄに信号レベル「０」の信号を出力し、ＡＮＳａｍ信号送出回路１０からＡＮＳａｍ信号を送信しないように制御する。
【００４５】
ステップＳ１４では、信号線２２ａを介して操作部２２の操作情報を入力し、登録回路３０への登録が選択されたか否かを判断する。登録回路３０への登録が選択されるとステップＳ１６に進み、操作部２２の操作に応じて信号線３０ａを介して回路３０にＥＣＭ通信を有効とするか否かを登録し、登録回路３０への登録が選択されていなければ図３のステップＳ１８に進む。
【００４６】
図３のステップＳ１８では、信号線２２ａを介して操作部２２の操作情報を入力し、登録回路３２への登録が選択されたか否かが判断される。登録回路３２への登録が選択されるとステップＳ２０において操作部２２の操作に応じて、登録回路３２に対する登録操作を行なわせる。ステップＳ１８で登録回路３２への登録が選択されていなければステップＳ２２に進む。
【００４７】
ステップＳ２０で登録回路３２に対して登録するのは、特定の通信モード選択時において、登録回路３０にＥＣＭ通信禁止が設定されており、かつユーザーがＥＣＭ通信を拒否した場合の選択肢である（後述の第５、第６の実施形態参照）。ここでは、「通信をしない」か、「ＥＣＭを用いずにノーマルＧ３通信を行なう」のいずれかを信号線３０ａを介して登録回路３２に登録する。
【００４８】
ステップＳ２２では、送信が選択されたか否かを判断する。ここで送信が選択されると、ステップＳ２６に進み、送信が選択されていなければステップＳ２４に進みその他の公知の処理（原稿画像のコピー、あるいは通信管理に関する処理など）を実行する。
【００４９】
送信が選択されると、ステップＳ２６において信号線２８ａを介して表示回路２８の表示状態（中継同報選択ボタン２６による中継同報の選択状態）を入力し、中継同報送信が選択されたか否かを判断する。中継同報送信が選択されるとステップＳ２８に進み、中継同報送信が選択されていなければステップＳ５６に進む。
【００５０】
ステップＳ２８では、信号線２２ａを介して操作部２２の操作情報を入力し、目的の中継同報処理が通信仕様として予め設定されている配信局のメモリボックスのサブアドレス（発呼情報）を入力する。
【００５１】
そして、ステップＳ３０では、信号線２０ａに信号レベル「１」の信号を出力し、ＮＣＵ２のＣＭＬリレーをオンとし回線２ａをファクシミリ装置側に接続し、ステップＳ３２においてステップＳ２８のサブアドレス入力によって指定された配信局を発呼する。
【００５２】
図４のステップＳ３４では、ファクシミリ通信前手順を行なう。ここでは、手順信号の交換により、相手配信局のＥＣＭ受信機能の有無、及び中継同報送信機能の有無に関する情報を取得し、メモリ回路１８の所定領域に記憶する。
【００５３】
ステップＳ３６では、ステップＳ３４のファクシミリ通信前手順の結果から、相手機に中継同報送信の機能があるか否かを判断し、相手機に中継同報送信の機能があればステップＳ４０に進み、なければステップＳ３８に進む。
【００５４】
ステップＳ３８では、信号線２０ｇを介して、相手機に中継同報送信機能がないため、通信を行なわないことを表示回路３４に表示する。この表示は何らかのキー操作に応じて消去する。ステップＳ３８の後、処理は図２のステップＳ１０に戻る。
【００５５】
さらに、ステップＳ４０では、ステップＳ３４のファクシミリ通信前手順の結果から、相手機にＥＣＭ受信機能があるか否かを判断する。相手機にＥＣＭ受信機能があればステップＳ４２に進み、なければステップＳ５０（図５）に進む。
【００５６】
ステップＳ４２では、信号線３０ａを介して登録回路３０の登録情報にアクセスし、登録回路３０にＥＣＭ通信禁止が登録されているか否かを判断する。ここでは、読み出した登録情報が禁止、許可のいずれであってもステップＳ４４に進む。
【００５７】
ステップＳ４４では、残りのファクシミリ通信前手順を実行する。ここでは、中継同報送信を行なうことを相手機に指示するとともに、入力されたサブアドレスに基づきメモリボックスを指定し、さらにＥＣＭ送信モードを指定する。すなわち、中継同報を依頼する場合は、登録回路３０にＥＣＭ通信禁止が登録されていてもこれを無視してＥＣＭ通信を実行する（ステップＳ４２参照）。
【００５８】
ステップＳ４６では、画信号の読取／送信を、ステップＳ４８ではファクシミリ通信後手順を実行し、その後、図２のステップＳ１０に戻る。ステップＳ４６では、中継同報を依頼する画信号はＥＣＭ通信により配信局に送信される。
【００５９】
一方、ステップＳ４０で相手局にＥＣＭ通信機能が無い場合は、ステップＳ５０（図５）において、残りのファクシミリ通信前手順を実行する。ここでは、中継同報送信指示、及びメモリボックスの指示をし、またＥＣＭ送信を指定しない（相手局が機能を有していないため）。
【００６０】
ステップＳ５２では、画信号読取／送信を、またステップＳ５４ではファクシミリ通信後手順を実行し、図２のステップＳ１０に戻る。
【００６１】
再び図３において、ステップＳ２６で中継同報送信が選択されていない場合にはステップＳ５６に進み、信号線２０ａに信号レベル「１」の信号を出力し、ＮＣＵ２のＣＭＬリレーをオンとし、回線２ａをファクシミリ装置側に接続する。そして、ステップＳ５８で指定された宛先を発呼する。
【００６２】
ステップＳ６０では、ファクシミリ通信前手順を実行し、ここでは相手機のＥＣＭ受信機能の有無をメモリ回路１８の所定領域に記憶する。
【００６３】
そして、図５のステップＳ６２に進み、このステップＳ６２では、相手受信機にＥＣＭ受信機能があるか否かを判断する。相手受信機にＥＣＭ受信機能があればステップＳ６４に進み、なければステップＳ６８に進む。
【００６４】
ステップＳ６４では、信号線３０ａを介して登録回路３０の登録情報にアクセスし、登録回路３０にＥＣＭ通信禁止が登録されているか否かを判断する。
【００６５】
登録回路３０にＥＣＭ通信禁止が登録されている場合にはステップＳ６８に進み、ＥＣＭ送信を指定せずに残りのファクシミリ通信前手順を実行する。ＥＣＭ通信禁止が登録されていなければステップＳ６６に進み、ＥＣＭ送信を指定して残りのファクシミリ通信前手順を実行する。
【００６６】
ステップＳ７０では、画信号の読取／送信、ステップＳ７２ではファクシミリ通信後手順を実行する。
【００６７】
以上のように、中継同報送信が指定された場合には、ＥＣＭ通信禁止が登録されていた場合でも自動的にＥＣＭ通信を有効化して中継同報送信を依頼し、配信される画像をＥＣＭ通信により転送することができ、破損した画像を中継同報により配信してしまう問題を回避できる。またＥＣＭ通信機能の指定の処理は自動的に行なわれるので、面倒な操作を行なう必要がない。
【００６８】
中継同報送信が指定されていなかった場合には登録回路３０への登録に応じてＥＣＭ通信を行なうかどうかが決定されるのはいうまでもない。
【００６９】
＜第２の実施形態＞
第１の実施形態は、特定の通信モード（中継同報）において、登録回路３０の登録状態に拘らずＥＣＭ通信を実行する例であるが、この特定の通信モードをサブアドレス信号を送信する通信に置き換えてもよい。すなわち、第１実施形態のような中継同報依頼に限らず、相手局に対してサブアドレス信号を送信して行なう通信においては登録回路３０の登録状態に拘らずＥＣＭ通信を実行するようにする。
【００７０】
この場合の制御を図６および図７に第２実施形態として示す。図６および図７は、図２〜５の制御に対して必要な変更部分を示すものである。
【００７１】
図６において、ステップＳ８０はステップＳ２２（図３）のＹｅｓを表わしている。つまり、ステップＳ２２において送信が選択されると、ステップＳ８２に進む。
【００７２】
ステップＳ８２では、信号線２４ａを介してサブアドレス信号入力ボタン２４の操作情報を入力し、サブアドレス信号の送信が選択されたか否かを判断する。サブアドレス信号の送信が選択されていなければステップＳ８４（ステップＳ５６）に進み、サブアドレス信号の送信が選択されていればステップＳ８６に進み、信号線２２ａを介して操作部２２の操作情報に基づき相手局のサブアドレスを入力する。
【００７３】
ステップＳ８８は、ステップＳ３０、ステップＳ３２と同一処理である。すなわち、ＮＣＵ２のＣＭＬリレーをオンとし、指定された相手局を発呼する。
【００７４】
ステップＳ９０ではファクシミリ通信前手順を実行する。ここでは、ファクシミリ通信前手順の結果に応じて相手機のＥＣＭ受信機能の有無、サブアドレス信号の受信機能の有無をメモリ回路１８の所定領域に記憶する。
【００７５】
ステップＳ９２では、ステップＳ９０のファクシミリ通信前手順の結果に応じて相手機にサブアドレス信号の受信機能があるか否かが判断され、サブアドレス信号の受信機能があればステップＳ９８に進み、なければステップＳ９４に進む。
【００７６】
ステップＳ９４では、信号線２０ｇを介して表示回路３４を制御し、相手機にサブアドレス信号の受信機能がないので、通信しないことを表示回路３４に表示する。この表示は何らかのキー操作に応じて消去する。その後、ステップＳ９６に移行する。ステップＳ９６は、ステップＳ１０に相当し、したがって、処理はステップＳ１０（図２）に復帰する。
【００７７】
一方、ステップＳ９８では、ステップＳ９０のファクシミリ通信前手順の結果に応じて相手機にＥＣＭ受信機能があるか否かを判断し、相手機にＥＣＭ受信機能があればステップＳ１００に進み、なければステップＳ１０６に進む。
【００７８】
ステップＳ１００では、信号線３０ａを介して登録回路３０の情報を入力し、登録回路３０にＥＣＭ通信禁止が登録されているか否かを判断する。本実施形態においては、登録回路３０にＥＣＭ通信禁止が登録されているかいないかに拘らず図７のステップＳ１０２に進む。
【００７９】
図７のステップＳ１０２では、残りのファクシミリ通信前手順を実行する。ここでは、相手機にＥＣＭ送信を指定するとともに、サブアドレス信号の送信を指定し、さらにサブアドレス信号を相手機に送信する。すなわち、サブアドレス信号を用いた送信では、登録回路３０にＥＣＭ通信禁止が登録されていてもこれを無視してＥＣＭ通信を実行する（ステップＳ１００参照）。
【００８０】
ステップＳ１０４は図４のステップＳ４６を表わしている。つまり、以後、画信号の読取／送信、ファクシミリ通信後手順を実行する。
【００８１】
一方、ステップＳ９８で相手機がＥＣＭ通信機能を有していない場合には、ステップＳ１０６に進む。ステップＳ１０６では残りのファクシミリ通信前手順を実行する。ここでは、相手機にサブアドレス信号の送信を指定し、さらにサブアドレス信号を送信する。ここでは、ＥＣＭ送信は指定しない。ステップＳ１０８は、図５のステップＳ５２に移行することを表わしている。
【００８２】
その他の処理は図２〜図５の第１実施形態と同じである。通常送信の場合の処理は第１実施形態と同様であり、通常送信ではＥＣＭ通信は登録回路３０の登録状態に応じて制御される。
【００８３】
以上のようにして、サブアドレス信号を送信して行なう通信においては登録回路３０の登録状態に拘らずＥＣＭ通信を実行することができる。前述のように、サブアドレスを用いた通信では、受信側のメモリボックスに登録された通信仕様に応じて前記の中継同報に限らず、Ｅメールで転送、配信するなどのあらゆる種類の転送処理を受信局に実行させることができる。したがって、サブアドレス信号を送信して行なう通信において登録回路３０の登録状態に拘らずＥＣＭ通信を実行することにより、サブアドレスおよびメモリボックスの機能を介して破損した画像が転送されるのを防止することができる。またＥＣＭ通信機能の指定の処理は自動的に行なわれるので、面倒な操作を行なう必要がない。
【００８４】
＜第３の実施形態＞
第１の実施形態において、中継同報送信が選択され、配信局にＥＣＭ受信機能が無い場合は、ＥＣＭ機能を用いない、つまりノーマルＧ３での通信を行なうようになっているが、中継同報送信の際ＥＣＭ通信機能を利用できないのであれば通信を中断することも考えられる。
【００８５】
このような制御を図８に第３の実施形態として示す。図８は図２〜５の制御について必要な変更部分を示している。
【００８６】
図８のステップＳ１１０は図４のステップＳ４０のＮｏを表わしている。つまり、ステップＳ４０で相手機がＥＣＭ通信機能を有していない場合にはステップＳ１１２に移行する。
【００８７】
ステップＳ１１２では、信号線２０ｇを介して表示回路３４を制御し、中継同報送信が選択されたが相手機にＥＣＭ機能がないので通信を実行しないことを表示回路３４に表示する。この表示は何らかのキー操作に応じて消去する。その後、ステップＳ１１４に移行する。ステップＳ１１４は、ステップＳ１０に相当し、したがって、処理はステップＳ１０（図２）に復帰する。
【００８８】
このように、中継同報送信にＥＣＭ通信機能を利用できなければ通信を中断することにより、中継同報の依頼において配信すべき画像を配信局に送信する際、ＥＣＭ通信機能を用いることを保証でき、破損した画像が配布されるのを防止することができる。また、ＥＣＭ通信機能の指定の処理は自動的に行なわれ、面倒な操作を行なう必要がない。
【００８９】
＜第４の実施形態＞
第２の実施形態に関しても第３の実施形態と同様の変更を加えることが考えられる。すなわち、サブアドレス信号を用いた送信が選択されたが受信機にＥＣＭ受信機能がない場合は、ノーマルＧ３での通信を実行することなく通信を中断してもよい。
【００９０】
このような制御を図９に第４の実施形態として示す。図９は図２〜５の制御について必要な変更部分を示している。
【００９１】
図９において、ステップＳ１２０は図６のステップＳ９８のＮｏを表わしている。つまり、ステップＳ９８において相手機がＥＣＭ通信機能を有していない場合にはステップＳ１２２に移行する。
【００９２】
ステップＳ１２２は、信号線２０ｇを介して表示回路３４を制御し、サブアドレス信号の送信が選択されたが、相手機にＥＣＭ機能がないので通信を実行しないことを表示回路３４に表示する。この表示は何らかのキー操作に応じて消去する。その後、ステップＳ１２４に移行する。ステップＳ１２４は、ステップＳ１０に相当し、したがって、処理はステップＳ１０（図２）に復帰する。
【００９３】
このように、なんらかのデータの転送が実行される可能性のあるサブアドレス信号を用いた送信において画像を相手局に送信する際、ＥＣＭ通信機能を用いることを保証でき、破損した画像が配布されるのを防止することができる。また、ＥＣＭ通信機能の指定の処理は自動的に行なわれ、面倒な操作を行なう必要がない。
【００９４】
＜第５の実施形態＞
以上の第１〜第４の実施形態では、登録回路３２の情報を利用していないが、以下の第５および第６の実施形態では登録回路３２の情報を利用した制御を示す。
【００９５】
本実施形態では、特定の通信モード（本実施形態においては中継同報）が選択され、登録回路３０にＥＣＭ通信を無効とする設定が行なわれている場合、「エラーコレクションモードを有効にしてよいかどうか」をユーザに尋ね、この質問に対する肯定応答を検出したらＥＣＭ通信を開始する。また、ユーザが否定応答を行なった場合（あるいはユーザの応答が得られなかった場合）の処理を決定するための情報を予め登録回路３２に登録しておく。すなわち、登録回路３２には、上記の質問に対してユーザが否定応答を行なった場合（あるいはユーザの応答が得られなかった場合）に、通信をしない、あるいはＥＣＭ通信無効とした通信を実行する、といった選択肢を格納しておく。
【００９６】
以上の制御を図１０に第５の実施形態として示す。図１０は図２〜５の制御について必要な変更部分を示している。
【００９７】
図１０において、ステップＳ１３０は図４のステップＳ４２のＹｅｓを表わしている。すなわち、中継同報を行なうに際して、ファクシミリ通信前手順の結果から、相手機にＥＣＭ受信機能があることが確認され（図４ステップＳ４０）、さらに登録回路３０にＥＣＭ通信禁止が登録されていた場合（ステップＳ４２）、ステップＳ１３２に移行する。
【００９８】
ステップＳ１３２では、信号線２０ｇを介して表示回路３４を制御し、「エラーコレクションモードを有効にしてよいですか」と表示回路３４に表示させる（合せて肯定および否定応答のために操作する所定のキーなどを表示してもよい）。この表示は何らかのキー操作、たとえばユーザの肯定ないし否定応答により消去する。
【００９９】
ステップＳ１３４では、信号線２２ａを介して操作部２２の操作情報を取得し、ユーザの応答をチェックする。ユーザが操作部２２の所定キーを操作するなどして肯定応答を返すとステップＳ１３６（図４のステップＳ４４）に進み、否定応答（操作部２２の所定キーの操作による否定応答、あるいは所定時間以上何も応答が無かった場合も否定応答として扱う）の場合はステップＳ１３８に進む。
【０１００】
ステップＳ１３８では、信号線３２ａを介して登録回路３２の登録情報を入力し、「通信しない」、あるいは「ＥＣＭ機能なしで通信」のいずれが登録されているかを判断する。「通信しない」が登録されている場合にはステップＳ１４０（図８のステップＳ１１２）に進み、「ＥＣＭ機能なしで通信」が登録されている場合にはステップＳ１４２（図５のステップＳ５０）に進む。
【０１０１】
すなわち、登録回路３２の登録情報が「通信しない」であれば、図８のステップＳ１１２においてＥＣＭ通信を行なわない旨の表示を行なう。なお、ステップＳ１１２では、ＥＣＭ通信を行なわない理由が相手機のＥＣＭ通信機能無しになっているが、この理由は登録回路３２の登録情報が「通信しない」である旨、あるいはユーザが否定応答を行なった旨の表示情報に置換するのが望ましい。また、登録回路３２の登録情報が「ＥＣＭ機能なしで通信」の場合には図５のステップＳ５０において残りの前手順でＥＣＭ機能なしを宣言し、ＥＣＭ機能を用いずに通常のＧ３モードにより中継同報すべき画像を相手機に送信する。
【０１０２】
以上のように、特定の通信モード（本実施形態においては中継同報）が選択され、登録回路３０にＥＣＭ通信を無効とする設定が行なわれている場合、登録回路３０のＥＣＭ禁止設定を無視するのではなく、「エラーコレクションモードを有効にしてよいかどうか」をユーザに尋ね、この質問に対する肯定応答を検出した時ＥＣＭ通信を開始するようにしているために、ユーザは個々の特定の通信モード（本実施形態においては中継同報）において必要に応じて（ユーザーの納得を得た上で）ＥＣＭ通信を有効にするか無効にするかを選択できる。さらに、ユーザが否定応答を行なった場合（あるいはユーザの応答が得られなかった場合）には登録回路３２の登録に応じて「通信しない」か「ＥＣＭ機能なしで通信」を自動的に選択することができる。つまり、この場合も登録回路３０のＥＣＭ禁止設定を単に無視するのではなく、「通信しない」か「ＥＣＭ機能なしで通信」を選択することができ、ユーザーの使用環境に合せた設定に基づき適切な非エラーコレクションモードを選択して特定の通信モード（本実施形態においては中継同報）を利用することができる。
【０１０３】
＜第６の実施形態＞
第５の実施形態と同様の変更を第２の実施形態に対して加えることもできる。
【０１０４】
すなわち、本実施形態では、特定の通信モード（本実施形態においてはサブアドレスを用いた通信）が選択され、登録回路３０にＥＣＭ通信を無効とする設定が行なわれている場合、「エラーコレクションモードを有効にしてよいかどうか」をユーザに尋ね、この質問に対する肯定応答を検出したらＥＣＭ通信を開始する。また、ユーザが否定応答を行なった場合（あるいはユーザの応答が得られなかった場合）の処理を決定するための情報を予め登録回路３２に登録しておく。すなわち、登録回路３２には、上記の質問に対してユーザが否定応答を行なった場合（あるいはユーザの応答が得られなかった場合）に、通信をしない、あるいはＥＣＭ通信無効とした通信を実行する、といった選択肢を格納しておく。
【０１０５】
以上の制御を図１１に第５の実施形態として示す。図１１は図２〜５および図６、図７の制御について必要な変更部分を示している。
【０１０６】
図１１において、ステップＳ１５０はステップＳ１００のＹｅｓを表わしている。すなわち、本実施形態においてはサブアドレスを用いた通信を行なうに際して、ファクシミリ通信前手順の結果から、相手機にＥＣＭ受信機能があることが確認され（図６のステップＳ９８）、さらに登録回路３０にＥＣＭ通信禁止が登録されていた場合（ステップＳ１００）、ステップＳ１５２に移行する。
【０１０７】
ステップＳ１５２では、信号線２０ｇを介して表示回路３４を制御し、「エラーコレクションモードを有効にしてよいですか」と表示回路３４に表示させる（合せて肯定および否定応答のために操作する所定のキーなどを表示してもよい）。この表示は何らかのキー操作、たとえばユーザの肯定ないし否定応答により消去する。
【０１０８】
ステップＳ１５４では、信号線２２ａを介して操作部２２の操作情報を取得し、ユーザの応答をチェックする。ユーザが操作部２２の所定キーを操作するなどして肯定応答を返すとステップＳ１５６（図７のステップＳ１０２）に進み、否定応答（操作部２２の所定キーの操作による否定応答、あるいは所定時間以上何も応答が無かった場合も否定応答として扱う）の場合はステップＳ１５８に進む。
【０１０９】
ステップＳ１５８では、信号線３２ａを介して登録回路３２の登録情報を入力し、「通信しない」、あるいは「ＥＣＭ機能なしで通信」のいずれが登録されているかを判断する。「通信しない」が登録されている場合にはステップＳ１６０（図９のステップＳ１２２）に進み、「ＥＣＭ機能なしで通信」が登録されている場合にはステップＳ１６２（図７のステップＳ１０６）に進む。
【０１１０】
すなわち、登録回路３２の登録情報が「通信しない」であれば、図９のステップＳ１２２においてＥＣＭ通信を行なわない旨の表示を行なう。なお、ステップＳ１２２では、ＥＣＭ通信を行なわない理由が相手機のＥＣＭ通信機能無しになっているが、この理由は登録回路３２の登録情報が「通信しない」である旨、あるいはユーザが否定応答を行なった旨の表示情報に置換するのが望ましい。また、登録回路３２の登録情報が「ＥＣＭ機能なしで通信」の場合には図７のステップＳ１０６において残りの前手順でＥＣＭ機能なしを宣言し、ＥＣＭ機能を用いずに通常のＧ３モードにより中継同報すべき画像を相手機に送信する。
【０１１１】
以上のように、特定の通信モード（本実施形態においてはサブアドレスを用いた通信）が選択され、登録回路３０にＥＣＭ通信を無効とする設定が行なわれている場合、登録回路３０のＥＣＭ禁止設定を無視するのではなく、「エラーコレクションモードを有効にしてよいかどうか」をユーザに尋ね、この質問に対する肯定応答を検出した時ＥＣＭ通信を開始するようにしているために、ユーザは個々の特定の通信モード（本実施形態においてはサブアドレスを用いた通信）において必要に応じて（ユーザーの納得を得た上で）ＥＣＭ通信を有効にするか無効にするかを選択できる。さらに、ユーザが否定応答を行なった場合（あるいはユーザの応答が得られなかった場合）には登録回路３２の設定に応じて「通信しない」か「ＥＣＭ機能なしで通信」を自動的に選択することができる。つまり、この場合も登録回路３０のＥＣＭ禁止設定を単に無視するのではなく、「通信しない」か「ＥＣＭ機能なしで通信」を選択することができ、ユーザーの使用環境に合せた設定に基づき適切な非エラーコレクションモードを選択して特定の通信モード（本実施形態においてはサブアドレスを用いた通信）を利用することができる。
【０１１２】
なお、以上の各実施形態では、本発明の制御を行なう「特定の通信モード」が中継同報あるいはサブアドレスを用いた通信であるものとしたが、送信した画像データが相手局から他局に転送される可能性のある通信モードや、情報伝達の確実性が要求されるモードであれば「特定の通信モード」はどのようなものであってもよい。たとえば、「特定の通信モード」としては、時刻指定による同報送信や、特定の受信人に対する親展送信などが考えられ、これらの通信モードにおいて、エラーコレクションモードの禁止設定にかかわらず自動的にエラーコレクションモードを有効とし画像通信を行なうようにすれば、破損した画像が転送、配布されるのを未然に防止できる効果を期待できる。
【０１１３】
以上の各実施形態では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のメモリ回路１８のみならず、ハードディスク、フロッピーディスク、光ディスク、光磁気ディスクやメモリカードなどのあらゆるコンピュータ読み取り可能な記録媒体に格納して供給することができる。
【０１１４】
【発明の効果】
以上説明したように、エラーコレクションモードでの通信可能なファクシミリ装置、その制御方法、およびその制御プログラムを格納したコンピュータ読取可能な記録媒体において、特定の通信モードが選択され、エラーコレクションモードを有効としない設定情報が登録されている場合、エラーコレクションモードを有効にして良いか否かに関するユーザの応答を取得し、このユーザの応答が肯定応答であった場合にエラーコレクションモードでの通信を開始する構成を採用しているので、ユーザは特定の通信モードによる画像通信でエラーコレクションモードを有効とすることができ、特定の通信モードにおいて適切にエラーコレクションモードを制御でき通信エラーによって破損した画像が転送、配布されるのを防止することができる優れた効果がある。
【０１１６】
特に上記構成によれば、ユーザは個々の特定の通信モードにおいて必要に応じて（ユーザーの納得を得た上で）ＥＣＭ通信を有効にするか無効にするかを選択できるようになる。
【０１１７】
あるいはさらに、前記ユーザの応答が否定応答であった場合に実行する通信動作の選択肢を設定情報として登録する第２の登録手段ないし登録工程を有し、この第２の登録手段ないし登録工程における設定情報に基づき前記ユーザの応答が否定応答であった場合に実行する通信動作を決定する構成を採用すれば、ユーザーの使用環境に合せた設定に基づき特定の通信モードを利用することができる。
【０１１８】
あるいはさらに、前記第２の登録手段ないし登録工程において前記ユーザの応答が否定応答であった場合に実行する通信動作の選択肢として、通信をしない、あるいは、エラーコレクションモードを無効とした通信を実行する、のいずれかを設定情報として登録する構成を採用すれば、エラーコレクションモードの禁止設定を単に無視するのではなく、ユーザーの使用環境に合せた設定に基づき適切な非エラーコレクションモードを選択して特定の通信モードを利用することができる。
【図面の簡単な説明】
【図１】本発明を採用したファクシミリ装置の構成を示したブロック図である。
【図２】本発明による通信制御の第１の実施形態を示したフローチャート図である。
【図３】本発明による通信制御の第１の実施形態を示したフローチャート図である。
【図４】本発明による通信制御の第１の実施形態を示したフローチャート図である。
【図５】本発明による通信制御の第１の実施形態を示したフローチャート図である。
【図６】本発明による通信制御の第２の実施形態を示したフローチャート図である。
【図７】本発明による通信制御の第２の実施形態を示したフローチャート図である。
【図８】本発明による通信制御の第３の実施形態を示したフローチャート図である。
【図９】本発明による通信制御の第４の実施形態を示したフローチャート図である。
【図１０】本発明による通信制御の第５の実施形態を示したフローチャート図である。
【図１１】本発明による通信制御の第６の実施形態を示したフローチャート図である。
【符号の説明】
２  ＮＣＵ
４  電話機
６  ハイブリッド回路
８  変復調器
１０  ＡＮＳａｍ信号送出回路
１２  加算回路
１４  読取回路
１６  記録回路
１８  メモリ回路
２０  制御回路
２２  操作部
２４  入力ボタン
２６  選択ボタン
２８  表示回路
３０  登録回路
３２  登録回路
３４  表示回路
【図１】
0003927726.tif 000002
【図２】
0003927726.tif 000003
【図３】
0003927726.tif 000004
【図４】
0003927726.tif 000005
【図５】
0003927726.tif 000006
【図６】
0003927726.tif 000007
【図７】
0003927726.tif 000008
【図８】
0003927726.tif 000009
【図９】
0003927726.tif 000010
【図１０】
0003927726.tif 000011
【図１１】
0003927726.tif 000012